(57)【要約】【課題】  アングルブロック再生又はパレンタルブロック再生において、早送りや、いわゆるタイムサーチ動作又は逆転再生等の特殊再生を正確且つスムーズに行うことができるように情報を記録するための記録装置及び当該記録された情報を再生する再生装置を提供する。【解決手段】  復調された復調信号Ｓdmからシステムバッファ８５により分離されるＤＳＩ（Data Seach Informatuom、検索制御）データの中に含まれるＶＯＢ（Video Object）ユニットサーチ情報中の、アングルブロック再生又はパレンタルブロック再生において実際に再生すべき映像情報を示すアドレス情報に基づき、システムコントローラ１００が再生制御を行う。インターリーブドユニット構造により情報が記録されているときでも、再生すべき映像を迅速且つ正確に検索して再生することができる。【選択図】      図１４
2005346911.tif 000002
【特許請求の範囲】
【請求項１】
記録すべき記録情報を構成する複数の部分記録情報に対して所定の信号処理を夫々施し、複数の情報単位により構成される処理部分記録情報を夫々生成すると共に、前記情報単位を構成する再生単位毎に記録される記録位置情報であって、前記部分記録情報毎の再生時間軸上において一の前記再生単位の前後の所定の範囲内における前記部分記録情報の再生時刻に対応する前記再生単位の、前記処理部分記録情報を記録する情報記録媒体上の記録位置を示す記録位置情報を前記一の再生単位毎に生成し、出力する信号処理手段と、
前記処理部分記録情報と前記記録位置情報を前記再生単位毎に多重して多重部分記録情報を出力する多重手段と、
前記多重部分記録情報を前記情報記録媒体に記録する記録手段と、
を備えたことを特徴とする記録装置。
【請求項２】
請求項１に記載の記録装置において、
前記記録情報は少なくとも映像情報を含むと共に、
夫々の前記部分記録情報は、前記再生時間軸上において同一の再生時刻に再生されるべき情報であり、
更に、夫々の前記部分記録情報は、同一の対象を異なる視点から見た前記映像情報を夫々に含むことを特徴とする記録装置。
【請求項３】
請求項１に記載の記録装置において、
前記部分記録情報は、夫々異なる設定がなされた再生装置で再生されるべき情報であることを特徴とする記録装置。
【請求項４】
記録情報と共に情報記録媒体に記録された記録位置情報に基づいて前記記録情報を構成する複数の部分記録情報毎の再生を行う再生装置によって再生される前記記録情報が記録された情報記録媒体であって、
前記複数の部分記録情報に対して所定の信号処理を施すことにより夫々生成される処理部分記録情報であって、複数の情報単位により構成される処理部分記録情報と、
前記情報単位を構成する再生単位毎に記録される前記記録位置情報であって、前記部分記録情報毎の再生時間軸上において一の前記再生単位の前後の所定の範囲内における前記部分記録情報の再生時刻に対応する前記再生単位の、前記情報記録媒体上の記録位置を示す記録位置情報とが、
前記再生単位毎に多重された構造を備えたことを特徴とする情報記録媒体。
【請求項５】
請求項４に記載の情報記録媒体において、
前記記録情報は少なくとも映像情報を含むと共に、
夫々の前記部分記録情報は、前記再生時間軸上において同一の再生時刻に再生されるべき情報であり、
更に、夫々の前記部分記録情報は、同一の対象を異なる視点から見た前記映像情報を夫々に含むことを特徴とする情報記録媒体。
【請求項６】
請求項４に記載の情報記録媒体において、
前記部分記録情報は、夫々異なる設定がなされた再生装置で再生されるべき情報であることを特徴とする情報記録媒体。
【請求項７】
記録すべき記録情報を構成する複数の部分記録情報に対して所定の信号処理を夫々施すことにより夫々生成された処理部分記録情報であって、複数の情報単位により構成された処理部分記録情報と、前記情報単位を構成する再生単位毎に記録された記録位置情報であって、前記部分記録情報毎の再生時間軸上において一の前記再生単位の前後の所定の範囲内における前記部分記録情報の再生時刻に対応する前記再生単位の、前記情報記録媒体上の記録位置を示す前記一の再生単位毎の記録位置情報とが多重されて記録された情報記録媒体から前記記録情報を再生する再生装置であって、
制御信号に基づいて、前記情報記録媒体から前記処理部分記録情報及び前記記録位置情報を検出すると共に復調し、復調信号を出力する検出復調手段と、
前記復調信号から前記記録位置情報を抽出する抽出手段と、
前記抽出された記録位置情報に基づいて、前記制御信号を出力する制御手段と、
を備えたことを特徴とする再生装置。
【請求項８】
請求項７に記載の再生装置において、
前記記録情報は少なくとも映像情報を含むと共に、
夫々の前記部分記録情報は、前記再生時間軸上において同一の再生時刻に再生されるべき情報であり、
更に、夫々の前記部分記録情報は、同一の対象を異なる視点から見た前記映像情報を夫々に含むことを特徴とする再生装置。
【請求項９】
請求項７に記載の記録装置において、
前記部分記録情報は、夫々異なる設定がなされた再生装置で再生されるべき情報であることを特徴とする再生装置。
【発明の詳細な説明】
【技術分野】
【０００１】
本発明は、ＤＶＤに代表される映像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来は、映像、音声等の情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【発明の開示】
【発明が解決しようとする課題】
【０００４】
しかしながら、上記ＬＤ等においては、表示される映像や再生される音声について視聴者が選択肢をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
更に、上記ＬＤ等においては、同じ一本の映画作品でも、劇場版やオリジナル版等、異なった編集態様が行われた作品を一のＬＤ等に記録する際には、当該異なった編集態様間で共通の部分を二重に記録することが必要となることから、実際上夫々の編集態様毎に別個のディスクに記録せざるを得ないので、一枚のディスクにおいて視聴者が同じ作品の別編集のものを選択することができない。
【０００７】
更にまた、一つの映画の中で異なるカメラアングルの映像を同時に記録することができないため、視聴者は、当該異なるカメラアングルの映像を選択して楽しむことができないこととなる。
【０００８】
また、上記ＬＤ等においては、動画と静止画を同じ取り扱いとすることができないので、静止画と対応する音声のみで構成されるスライドショー等において任意の再生時間に対応する画面のみをサーチするということもできなかった。
【０００９】
更に、同じ映画であっても、特定の再生装置（例えば、大人のみが再生できるように設定された再生装置）のみで再生することができる部分と全ての再生装置で再生可能である部分とを分類して記録し、再生時に再生装置によって自動的に再生できる部分を選択して再生するということもできなかった。
【００１０】
一方、現在、上記従来のＣＤに対して、光ディスク自体の大きさを変えずに記憶容量を約１０倍に向上させた光ディスクであるＤＶＤについての提案や開発が盛んであるが、このＤＶＤに対して、上記のように視聴者に対して種々の選択肢を提示し、選択された記録情報の内容を正確、確実且つスムーズに再生することができるような記録情報を記録する場合には、複数種類の本来の再生すべき映像情報及び音声情報の他に、種々の制御情報を記録することとなる。
【００１１】
しかしながら、その場合には、映像及び音声情報として異なる情報が記録されると共に、当該情報とそれらを制御する制御情報との関係の複雑さに起因して、例えば、早送りや、いわゆるタイムサーチ動作又は逆転再生等の特殊再生において、映像が途切れたり、音声と映像の対応関係が崩れる場合があるという問題点があった。
【００１２】
そこで、本発明は上記の問題点に鑑みて成されたもので、その課題は、変化に富んだ再生が可能な情報記録媒体における多種の再生態様に対応して、早送りや、いわゆるタイムサーチ動作又は逆転再生等の特殊再生を正確且つスムーズに行えることができるように情報を記録するための記録装置及び当該記録装置により情報が記録された情報記録媒体を提供することにある。
【課題を解決するための手段】
【００１３】
上記の課題を解決するために、請求項１に記載の発明は、記録すべき記録情報を構成する複数のアングルブロック等の部分記録情報に対してＭＰＥＧ２方式等の所定の信号処理を夫々施し、複数のインターリーブドユニット等の情報単位により構成される処理部分記録情報を夫々生成すると共に、前記情報単位を構成するＶＯＢ（Video Object）ユニット等の再生単位毎に記録されるＶＯＢユニットサーチ情報等の記録位置情報であって、前記部分記録情報毎の再生時間軸上において一の前記再生単位の前後の所定の範囲内における前記部分記録情報の再生時刻対応する前記再生単位の、前記処理部分記録情報を記録するＤＶＤ等の情報記録媒体上の記録位置を示す記録位置情報を前記一の再生単位毎に生成し、出力する信号処理部等の信号処理手段と、前記処理部分記録情報と前記記録位置情報を前記再生単位毎に多重して多重部分記録情報を出力するコントローラ、多重器等の多重手段と、前記多重部分記録情報を前記情報記録媒体に記録するマスタリング装置等の記録手段と、を備えて構成される。
【００１４】
請求項１に記載の発明の作用によれば、信号処理手段は、複数の部分記録情報に対して所定の信号処理を夫々施し、複数の情報単位により構成される処理部分記録情報を夫々生成すると共に記録位置情報を再生単位毎に生成し、出力する。
【００１５】
そして、多重手段は、処理部分記録情報と記録位置情報を再生単位毎に多重して多重部分記録情報を出力する。
【００１６】
その後、記録手段は多重部分記録情報を情報記録媒体に記録する。
【００１７】
よって、部分記録情報毎の再生時間軸上において一の再生単位の前後の所定の範囲内における部分記録情報の再生時刻に対応する再生単位の情報記録媒体上の記録位置を示す記録位置情報が処理部分記録情報と共に記録されるので、再生時において当該記録位置情報に基づいて部分記録情報を再生することにより、当該部分記録情報について再生時に早送りや、いわゆるタイムサーチ動作又は逆転再生等の特殊再生を行う場合でも一時中断等をすることなく部分記録情報毎にスムーズに特殊再生を行うことができる。
【００１８】
上記の課題を解決するために、請求項２に記載の発明は、請求項１に記載の記録装置において、前記記録情報は少なくとも映像情報を含むと共に、夫々の前記部分記録情報は、前記再生時間軸上において同一の再生時刻に再生されるべき情報であり、更に、夫々の前記部分記録情報は、同一の対象を異なる視点から見た前記映像情報を夫々に含むように構成される。
【００１９】
請求項２に記載の発明の作用によれば、請求項１に記載の発明の作用に加えて、記録情報は少なくとも映像情報を含むと共に、夫々の部分記録情報は再生時間軸上において同一の再生時刻に再生されるべき情報であり、更に、夫々の部分記録情報は、同一の対象を異なる視点から見た映像情報を夫々に含む。
【００２０】
よって、部分記録情報において、再生時に同一の対象を異なる視点から見た映像について、再生時に早送りや、いわゆるタイムサーチ動作又は逆転再生等の特殊再生を行う場合でも一時中断等をすることなくスムーズに特殊再生を行うことができる。
【００２１】
上記の課題を解決するために、請求項３に記載の発明は、請求項１に記載の記録装置において、前記部分記録情報は、夫々異なる設定がなされた再生装置で再生されるべき情報であるように構成される。
【００２２】
請求項３に記載の発明の作用によれば、請求項１に記載の発明の作用に加えて、部分記録情報は、夫々異なる設定がなされた再生装置で再生されるべき情報であるので、異なる設定がなされた再生装置で再生されるべき部分記録情報について、再生時に早送りや、いわゆるタイムサーチ動作又は逆転再生等の特殊再生を行う場合でも一時中断等をすることなくスムーズに特殊再生を行うことができる。
【００２３】
上記の課題を解決するために、請求項４に記載の発明の情報記録媒体は、記録情報と共に情報記録媒体に記録されたＶＯＢユニットサーチ情報等の記録位置情報に基づいて前記記録情報を構成する複数のアングルブロック等の部分記録情報毎の再生を行う再生装置によって再生される前記記録情報が記録されたＤＶＤ等の情報記録媒体であって、前記複数の部分記録情報に対してＭＰＥＧ２方式等の所定の信号処理を施すことにより夫々生成される処理部分記録情報であって、複数のインターリーブドユニット等の情報単位により構成される処理部分記録情報と、前記情報単位を構成するＶＯＢユニット等の再生単位毎に記録される前記記録位置情報であって、前記部分記録情報毎の再生時間軸上において一の前記再生単位の前後の所定の範囲内における前記部分記録情報の再生時刻に対応する前記再生単位の、前記情報記録媒体上の記録位置を示す記録位置情報とが、前記再生単位毎に多重された構造を備えて構成される。
【００２４】
請求項４に記載の発明の情報記録媒体によれば、複数の部分記録情報に対して所定の信号処理を施すことにより夫々生成され、複数の情報単位により構成される処理部分記録情報と、部分記録情報毎の再生時間軸上において一の再生単位の前後の所定の範囲内における部分記録情報の再生時刻に対応する再生単位の情報記録媒体上の記録位置を示す記録位置情報とが多重されて記録されているので、再生時において当該記録位置情報に基づいて部分記録情報を再生することにより、当該部分記録情報について再生時に早送りや、いわゆるタイムサーチ動作又は逆転再生等の特殊再生を行う場合でも一時中断等をすることなく部分記録情報毎にスムーズに特殊再生を行うことができる。
【００２５】
上記の課題を解決するために、請求項５に記載の発明の情報記録媒体は、請求項４に記載の情報記録媒体において、前記記録情報は少なくとも映像情報を含むと共に、夫々の前記部分記録情報は、前記再生時間軸上において同一の再生時刻に再生されるべき情報であり、更に、夫々の前記部分記録情報は、同一の対象を異なる視点から見た前記映像情報を夫々に含むように構成される。
【００２６】
請求項５に記載の発明の情報記録媒体によれば、請求項４に記載の発明の作用に加えて、記録情報は少なくとも映像情報を含むと共に、夫々の部分記録情報は、再生時間軸上において同一の再生時刻に再生されるべき情報であり、更に、夫々の部分記録情報は、同一の対象を異なる視点から見た映像情報を夫々に含む。
【００２７】
よって、部分記録情報において、再生時に同一の対象を異なる視点から見た映像について、再生時に早送りや、いわゆるタイムサーチ動作又は逆転再生等の特殊再生を行う場合でも一時中断等をすることなくスムーズに特殊再生を行うことができる。
【００２８】
上記の課題を解決するために、請求項６に記載の発明の情報記録媒体は、請求項４に記載の情報記録媒体において、前記部分記録情報は、夫々異なる設定がなされた再生装置で再生されるべき情報であるように構成される。
【００２９】
請求項６に記載の発明の情報記録媒体によれば、請求項４に記載の発明の作用に加えて、部分記録情報は夫々異なる設定がなされた再生装置で再生されるべき情報であるので、異なる設定がなされた再生装置で再生されるべき部分記録情報について、再生時に早送りや、いわゆるタイムサーチ動作又は逆転再生等の特殊再生を行う場合でも一時中断等をすることなくスムーズに特殊再生を行うことができる。
【００３０】
上記の課題を解決するために、請求項７に記載の発明は、記録すべき記録情報を構成する複数のアングルブロック等の部分記録情報に対してＭＰＥＧ２方式等の所定の信号処理を夫々施すことにより夫々生成された処理部分記録情報であって、複数のインターリーブドユニット等の情報単位により構成された処理部分記録情報と、前記情報単位を構成するＶＯＢユニット等の再生単位毎に記録されたＶＯＢユニットサーチ情報等の記録位置情報であって、前記部分記録情報毎の再生時間軸上において一の前記再生単位の前後の所定の範囲内における前記部分記録情報の再生時刻に対応する前記再生単位の、前記情報記録媒体上の記録位置を示す前記一の再生単位毎の記録位置情報とが多重されて記録されたＤＶＤ等の情報記録媒体から前記記録情報を再生する再生装置であって、制御信号に基づいて、前記情報記録媒体から前記処理部分記録情報及び前記記録位置情報を検出すると共に復調し、復調信号を出力するピックアップ、復調訂正部等の検出復調手段と、前記復調信号から前記記録位置情報を抽出するシステムバッファ等の抽出手段と、前記抽出された記録位置情報に基づいて、前記制御信号を出力するシステムコントローラ等の制御手段と、を備えて構成される。
【００３１】
請求項７に記載の発明の作用によれば、検出復調手段は、部分記録情報に対して所定の信号処理を夫々施すことにより夫々生成され、複数の情報単位により構成された処理部分記録情報と、部分記録情報毎の再生時間軸上において一の再生単位の前後の所定の範囲内における部分記録情報の再生時刻に対応する再生単位の、情報記録媒体上の記録位置を示す一の再生単位毎の記録位置情報とが記録されている当該情報記録媒体から、制御信号に基づいて、処理部分記録情報及び記録位置情報を検出すると共に復調し、復調信号を出力する。
【００３２】
そして、抽出手段は、復調信号から記録位置情報を抽出する。
【００３３】
このとき、制御手段は、抽出された記録位置情報に基づいて、制御信号を出力する。
【００３４】
よって、上記記録位置情報が処理部分記録情報と共に情報記録媒体に記録されるので、当該記録位置情報に基づいて部分記録情報を再生することにより、当該部分記録情報について早送りや、いわゆるタイムサーチ動作又は逆転再生等の特殊再生を行う場合でも一時中断等をすることなく部分記録情報毎にスムーズに特殊再生を行うことができる。
【００３５】
上記の課題を解決するために、請求項８に記載の発明は、請求項７に記載の再生装置において、前記記録情報は少なくとも映像情報を含むと共に、夫々の前記部分記録情報は、前記再生時間軸上において同一の再生時刻に再生されるべき情報であり、更に、夫々の前記部分記録情報は、同一の対象を異なる視点から見た前記映像情報を夫々に含むように構成される。
【００３６】
請求項８に記載の発明の作用によれば、請求項７に記載の発明の作用に加えて、記録情報は少なくとも映像情報を含むと共に、夫々の部分記録情報は再生時間軸上において同一の再生時刻に再生されるべき情報であり、更に、夫々の部分記録情報は、同一の対象を異なる視点から見た映像情報を夫々に含む。
【００３７】
よって、部分記録情報において、同一の対象を異なる視点から見た映像について、再生時に早送りや、いわゆるタイムサーチ動作又は逆転再生等の特殊再生を行う場合でも一時中断等をすることなくスムーズに特殊再生を行うことができる。
【００３８】
上記の課題を解決するために、請求項９に記載の発明は、請求項７に記載の再生装置において、前記部分記録情報は、夫々異なる設定がなされた再生装置で再生されるべき情報であるように構成される。
【００３９】
請求項９に記載の発明の作用によれば、請求項７に記載の発明の作用に加えて、部分記録情報は、夫々異なる設定がなされた再生装置で再生されるべき情報であるので、異なる設定がなされた再生装置で再生されるべき部分記録情報について、再生時に早送りや、いわゆるタイムサーチ動作又は逆転再生等の特殊再生を行う場合でも一時中断等をすることなくスムーズに特殊再生を行うことができる。
【発明の効果】
【００４０】
以上説明したように、請求項１に記載の発明によれば、部分記録情報毎の再生時間軸上において一の再生単位の前後の所定の範囲内における部分記録情報の再生時刻に対応する再生単位の情報記録媒体上の記録位置を示す記録位置情報が処理部分記録情報と共に記録されるので、再生時において当該記録位置情報に基づいて部分記録情報を再生することにより、当該部分記録情報について再生時に早送りや、いわゆるタイムサーチ動作又は逆転再生等の特殊再生を行う場合でも一時中断等をすることなく部分記録情報毎にスムーズに特殊再生を行うことができる。
【００４１】
よって、変化に富んだ記録情報の再生において、一時中断等をすることなく部分記録情報毎の特殊再生をスムーズに行うことができる。
【００４２】
請求項２に記載の発明によれば、請求項１に記載の発明の効果に加えて、記録情報は少なくとも映像情報を含むと共に、夫々の部分記録情報は再生時間軸上において同一の再生時刻に再生されるべき情報であり、更に、夫々の部分記録情報は、同一の対象を異なる視点から見た映像情報を夫々に含むので、部分記録情報において、再生時に同一の対象を異なる視点から見た映像について、再生時に早送りや、いわゆるタイムサーチ動作又は逆転再生等の特殊再生を行う場合でも一時中断等をすることなくスムーズに特殊再生を行うことができる。
【００４３】
請求項３に記載の発明によれば、請求項１に記載の発明の効果に加えて、部分記録情報は、夫々異なる設定がなされた再生装置で再生されるべき情報であるので、異なる設定がなされた再生装置で再生されるべき部分記録情報について、再生時に早送りや、いわゆるタイムサーチ動作又は逆転再生等の特殊再生を行う場合でも一時中断等をすることなくスムーズに特殊再生を行うことができる。
【００４４】
請求項４に記載の発明の情報記録媒体によれば、複数の部分記録情報に対して所定の信号処理を施すことにより夫々生成され、複数の情報単位により構成される処理部分記録情報と、部分記録情報毎の再生時間軸上において一の再生単位の前後の所定の範囲内における部分記録情報の再生時刻に対応する再生単位の情報記録媒体上の記録位置を示す記録位置情報とが多重されて記録されているので、再生時において当該記録位置情報に基づいて部分記録情報を再生することにより、当該部分記録情報について再生時に早送りや、いわゆるタイムサーチ動作又は逆転再生等の特殊再生を行う場合でも一時中断等をすることなく部分記録情報毎にスムーズに特殊再生を行うことができる。
【００４５】
よって、変化に富んだ記録情報の再生において、一時中断等をすることなく部分記録情報毎の特殊再生をスムーズに行うことができる。
【００４６】
請求項５に記載の発明によれば、請求項４に記載の発明の効果に加えて、記録情報は少なくとも映像情報を含むと共に、夫々の部分記録情報は、再生時間軸上において同一の再生時刻に再生されるべき情報であり、更に、夫々の部分記録情報は、同一の対象を異なる視点から見た映像情報を夫々に含むので、部分記録情報において、再生時に同一の対象を異なる視点から見た映像について、再生時に早送りや、いわゆるタイムサーチ動作又は逆転再生等の特殊再生を行う場合でも一時中断等をすることなくスムーズに特殊再生を行うことができる。
【００４７】
請求項６に記載の発明によれば、請求項４に記載の発明の効果に加えて、部分記録情報は、夫々異なる設定がなされた再生装置で再生されるべき情報であるので、異なる設定がなされた再生装置で再生されるべき部分記録情報について、再生時に早送りや、いわゆるタイムサーチ動作又は逆転再生等の特殊再生を行う場合でも一時中断等をすることなくスムーズに特殊再生を行うことができる。
【００４８】
請求項７に記載の発明によれば、部分記録情報毎の再生時間軸上において一の再生単位の前後の所定の範囲内における部分記録情報の再生時刻に対応する再生単位の、情報記録媒体上の記録位置を示す一の再生単位毎の記録位置情報が処理部分記録情報と共に情報記録媒体に記録されるので、当該記録位置情報に基づいて部分記録情報を再生することにより、当該部分記録情報について早送りや、いわゆるタイムサーチ動作又は逆転再生等の特殊再生を行う場合でも一時中断等をすることなく部分記録情報毎にスムーズに特殊再生を行うことができる。
【００４９】
よって、変化に富んだ記録情報の再生において、一時中断等をすることなく部分記録情報毎の特殊再生をスムーズに行うことができる。
【００５０】
請求項８に記載の発明によれば、請求項７に記載の発明の効果に加えて、記録情報は少なくとも映像情報を含むと共に、夫々の部分記録情報は再生時間軸上において同一の再生時刻に再生されるべき情報であり、更に、夫々の部分記録情報は、同一の対象を異なる視点から見た映像情報を夫々に含むので、部分記録情報において、同一の対象を異なる視点から見た映像について、再生時に早送りや、いわゆるタイムサーチ動作又は逆転再生等の特殊再生を行う場合でも一時中断等をすることなくスムーズに特殊再生を行うことができる。
【００５１】
請求項９に記載の発明によれば、請求項７に記載の発明の効果に加えて、部分記録情報は、夫々異なる設定がなされた再生装置で再生されるべき情報であるので、異なる設定がなされた再生装置で再生されるべき部分記録情報について、再生時に早送りや、いわゆるタイムサーチ動作又は逆転再生等の特殊再生を行う場合でも一時中断等をすることなくスムーズに特殊再生を行うことができる。
【発明を実施するための最良の形態】
【００５２】
次に、本発明に好適な実施の形態について説明する。なお、以下に説明する実施の形態は、上記ＤＶＤに対して本発明を適用した実施の形態について説明するものである。
【００５３】
なお、以下の実施の形態においては、下記リストの左側に示した特許請求の範囲における各構成要素の一例が、下記リストの右側に示した要素から夫々構成されている。
【００５４】
情報単位…………：インターリーブドユニット
再生単位…………：ＶＯＢＵ（VOB-Unit）
処理部分記録情報：アングルブロック又はパレンタルブロック
記録位置情報……：ＶＯＢユニットサーチ情報
（Ｉ）情報記録媒体の実施の形態
始めに、請求項４乃至６に記載の発明に対応する情報記録媒体の実施の一形態であるＤＶＤの物理的及び論理的な構成並びにその動作について、図１乃至図１２を用いて説明する。
【００５５】
始めに、映像情報及び音声情報（音楽情報を含む。以下、同じ。）のＤＶＤ上における記録フォーマット（物理的記録フォーマット）について、図１を用いて説明する。
【００５６】
図１に示すように、実施形態のＤＶＤ１は、その最内周部にリードインエリアＬＩを有すると共にその最外周部にリードアウトエリアＬＯを有しており、その間に、映像情報（再生時における動画及び静止画を含むものとする。）及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set ）とは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語の複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００５７】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００５８】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information ）等の情報が記録される。また、各ＶＯＢ１０には、制御情報の他に映像情報及び音声情報の実体部分（制御情報以外の映像又は音声そのもの）が記録されている。
【００５９】
更に、一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００６０】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）のいずれかを含むか、又は後述のナビパックのみにより構成される情報単位である。
【００６１】
そして、一のＶＯＢユニット３０は、ＶＯＢユニット３０に含まれている映像情報等を制御対象とする制御情報が格納されているナビパック４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ１に記録可能な音声は８種類であり、記録可能な副映像の種類は３２種類であることが規格上定められている。
【００６２】
また、一のＶＯＢユニット３０に対応する再生時間（一のナビパック４１と当該一のナビパック４１に隣り合うナビパック４１との間に記録されているデータに対応する再生時間）は、０．４秒以上の長さを有するように記録される。
【００６３】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にも、その数や順序は任意に設定することができる。
【００６４】
ここで、図１に示すビデオデータ４２、オーディオデータ４３及びサブピクチャデータ４４の夫々の区分を一般にパックＰという。すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。そして、これらのパックＰは、ＤＶＤ１上に記録情報を記録する際に用いられる後述のＭＰＥＧ２方式に基づいて設定される記録単位であり、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報や、パックＰの開始であることを示すスタートコード等が記録される。また、上記各パックＰについては、通常、当該パックＰを更に細分化した記録単位であるパケット毎にビデオデータ４２、オーディオデータ４３及びサブピクチャデータ４４が記録されるが、本実施の形態におけるＤＶＤ１では、一般に一のパックＰが一のパケットにより構成されている。
【００６５】
最後に、ナビパック４１は、表示させたい映像を検索するための検索情報（具体的には、当該表示させたい映像が記録されているＤＶＤ１上のアドレス等）であるＤＳＩ（Data Search Information ）データ５１と、ＤＳＩデータ５１に基づいて検索してきた映像を表示する際の表示制御に関する情報であるＰＣＩ（Presentation Control Information）データ５０とにより構成される。このとき、ＤＳＩデータ５１及びＰＣＩデータ５０は、夫々パケットＰＴとしてのＤＳＩパケット及びＰＣＩパケットを構成して記録される。
【００６６】
更に、一のＶＯＢユニット３０に含まれている全てのビデオデータ４２は、一又は複数のＧＯＰ（Group Of Picture）５２により構成されている。
【００６７】
なお、ＰＣＩデータ５０には、視聴者によって選択される選択項目に対応して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）の設定が行われる。
【００６８】
更に、メニュー画面を構成して表示するために必要な、枠、選択ボタン等を表示するための画像情報は、上記の副映像情報であるサブピクチャデータ４４として記録される。
【００６９】
一方、上記ＧＯＰ５２は、本実施の形態におけるＤＶＤ１に映像情報を記録する際に採用されている画像圧縮方式であるＭＰＥＧ２（Moving Picture Experts Group  ２）方式の規格において定められている単独で再生可能な最小の画像単位である。
【００７０】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算により生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００７１】
更に、上記ＧＯＰ５２について図２を用いてその概要を説明する。なお図２は、一のＧＯＰ５２を構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture ：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成する予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００７２】
なお、本実施形態に係るＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００７３】
以上説明した図１に示す階層構造の記録フォーマットにおいて、夫々の区分は、製作者がその意図に応じて自在に区分設定をして記録させることができる。これらの区分毎に後述の論理構造に基づいて再生することにより、変化に富んだ種々の再生が可能となるのである。
【００７４】
次に、図１に示す物理的な区分により記録された情報を組合わせた論理的フォーマット（論理構造）について図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【００７５】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part Of Title ）という。
【００７６】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００７７】
ここで、一のセル２０の番号については、当該セル２０を図１に示す物理フォーマットにおいて取り扱う際にはセルＩＤ番号として扱われ（図１中、セルＩＤ＃と示す。）、図３に示す論理フォーマットにおいて取り扱う際には、後に示すＰＧＣＩ中の記述順にセル番号として扱われる。
【００７８】
次に、複数のプログラム６０を組合わせて一のＰＧＣ（Program Chain ）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［本実施形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ、又はループ再生とランダム再生又はシャッフル再生の組合わせによる再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【００７９】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００８０】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記録されている順番にセル２０を再生する方法（連続配置セルの再生）の他に、ＤＶＤ１に記録されている順序に関係なく再生する（例えば、後に記録されているセル２０を先に再生する等）方法（非連続配置セルの再生）を製作者が選択することができる。
【００８１】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００８２】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図３に示す一のＶＴＳ６３に相当する情報は、図１に示す一のＶＴＳ３に含まれている情報に対応している。すなわち、ＤＶＤ１には、図３に示す論理上のＶＴＳ６３内に含まれる全ての情報が一のＶＴＳ３として記録されていることとなる。
【００８３】
以上説明した論理フォーマットに基づいて、物理構造において区分された情報を製作者が指定することにより、視聴者が見るべき映像（映画等）が形成されるのである。
【００８４】
なお、図１に示す物理構造の説明においては、内容の理解の容易化のため、複数のセル２０がＩＤ番号の順に記録されているとして説明したが、実施形態のＤＶＤ１においては、実際には、一のセル２０が図４に示す複数のインターリーブドユニットＩＵに分割されて記録される場合がある。
【００８５】
すなわち、例えば図４に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に纏められて相互に分離して記録されていると、例えば、ＰＧＣ６１Ａの場合には、ＩＤ番号２のセル２０のＤＶＤ１上の記録位置からＩＤ番号４のセル２０ＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００８６】
そこで、図４に示す場合には、ＩＤ番号２のセル２０とＩＤ番号３のセル２０を、上記トラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００８７】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００８８】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００８９】
以上説明したような種々の階層の情報を記録する必要があるため、上述の記録フォーマットを有する情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
【００９０】
次に、上記の物理構造及び論理構造を有する映像情報及び音声情報のうち、特に本発明に係るＤＳＩデータ５１について、図５を用いて説明する。
【００９１】
ＤＳＩデータ５１には、上述のように、表示させたい映像を検索するための検索情報、すなわち、より具体的には、上記ＶＯＢユニット３０の単位で表示させたい映像を検索するための情報及び上記シームレス再生を行うための情報が記述される。
【００９２】
これらの情報を分類すると、以下のように分類される。
【００９３】
（１）視聴者から指定されたある動作の開始時点において、予め後述の再生装置における各構成部材のタイミングを設定するための情報
（２）後述の再生装置におけるピックアップの図３に示す論理構造上のデータ区分に対応するＤＶＤ１上の位置を知るための情報
（３）再生表示しようとするデータのみを後述の再生装置におけるトラックバッファに書き込むための情報
（４）アクセス（検出）したいデータのＤＶＤ１上の記録位置（目標位置）を示す情報
（５）アクセスのためにデータをサーチした際、所望のデータのアドレスが検出できなかったときに他のデータ等を保護するための保護情報
次に、上記のように分類された情報が記録されるＤＳＩデータ５１内に、上記の夫々の情報が具体的にどのように記録されるかについて、図５を用いて説明する。
【００９４】
図５に示すように、ＤＳＩデータ５１は、具体的には、一のＤＳＩデータ５１内で共通に使用される一般情報と、シームレス再生のためのシームレス情報と、後述のアングル再生を行うためのアングル飛び先情報と、所望のＶＯＢユニット３０を検索するためのＶＯＢユニットサーチ情報と、当該ＤＳＩデータ５１が含まれているＶＯＢユニット３０と同期して表示又は出力すべきサブピクチャデータ４４又はオーディオデータ４３に関する情報である同期再生情報とにより構成される。このうち、ＶＯＢユニットサーチ情報は、特に、映像を出力しながらの早送り又は巻戻し、若しくはＮ倍速再生等の特殊再生やタイムサーチ動作を行う時に活用される。
【００９５】
ここで、上記アングル飛び先情報が適用されるアングルブロック再生について概要を説明すると、本実施形態のＤＶＤ１には、例えば、一の映画（タイトル６２）について、同じ時間軸上の場面を複数の視点から見た映像情報を記録することが可能である。すなわち、より具体的には、例えば、一の映画について、それに出演している男優の視点からある情景を見た映像と、女優の視点から同じ情景を見た映像とを記録することが可能なのである。そして、これらの映像を、上記ハイライト情報に基づくメニュー画面を用いた視聴者の選択により切り換えて再生することが可能となるのであり、これをアングルブロック再生という。なお、このようなアングルブロック再生を行うための夫々の視点に対応する映像情報は夫々の視点毎に処理が行われ、インターリーブドユニットＩＵに分解されてＤＶＤ１上にアングルブロックとして記録される。
【００９６】
また、このようにインターリーブドユニットＩＵに分解されてＤＶＤ１上に記録される記録情報としては、上記アングルブロック再生を行うための記録情報の他に、いわゆるパレンタルブロック再生を行うための記録情報もインターリーブドユニットＩＵに分解されてパレンタルブロック毎に記録される。このパレンタルブロック再生とは、一の同じ映画等について、例えば、大人用の映像と子供用の映像の二種類の映像を夫々パレンタルブロックとしてＤＶＤ１上に記録しておき、大人用に設定された特定の再生装置においては大人用の映像と子供用の映像の双方を再生可能とし、子供用に設定された特定の再生装置においては子供用の映像のみを再生するものである。
【００９７】
次に、図５に示す各情報について更に説明すると、一般情報としては、後述の再生装置におけるトラックバッファの制御のための時間情報と、図３に示す論理構造を構成するための各データのＤＶＤ１上の記録位置（論理アドレス）と、データサーチの際、所望のデータのアドレスが検出できなかったときに他のデータ等を保護するための保護情報と、後述の再生装置におけるタイムサーチ動作のための時間情報（セル２０内の経過時間情報等）とが記録される。
【００９８】
また、シームレス情報としては、シームレス再生に必要な各データのＤＶＤ１上の記録位置（論理アドレス）と、シームレス再生において、各再生画面の接続のタイミングを予め設定するための時間情報とが記録される。
【００９９】
更に、アングル飛び先情報としては、シームレス（連続的）にアングルを切り換えてアングルブロック再生を行うための再生すべきインターリーブドユニットのＤＶＤ１上の記録位置を示すアドレス情報が記録される。
【０１００】
また、ＶＯＢユニットサーチ情報としては、再生時間軸上のおいて、当該ＤＳＩデータ５１の近傍の所定の範囲（再生時間で±２分）に存在する他のＶＯＢユニット３０（すなわち、他のナビパック４１）のＤＶＤ１上の記録位置を示すアドレス情報が記録されている。
【０１０１】
最後に、同期再生情報としては、当該ＤＳＩデータ５１が含まれているＶＯＢユニット３０と同期して表示又は出力すべきサブピクチャデータ４４又はオーディオデータ４３のＤＶＤ１上の記録位置を示すアドレス情報が記録されている。
【０１０２】
以上説明した各情報を含むＤＳＩデータ５１を用いることにより、後述の再生装置において、再生されるべきアングルブロック又はパレンタルブロック等を含む記録情報を一時中断することなくスムーズに再生したり、アングルブロック又はパレンタルブロック毎のスキャン再生やタイムサーチ動作等の処理が可能となるのである。
【０１０３】
次に、上記各情報のうち、本発明に係るＶＯＢユニットサーチ情報について更に詳細に図６を用いて説明する。なお、図６は、ＶＯＢユニットサーチ情報として記述される情報と、実際のＤＶＤ１上の記録位置並びに再生時間との関係を示している。また、図６において、「ＦＷＤ」はＤＶＤ１の記録位置について前方（再生時間軸上において後）であることを示し、「ＢＷＤ」はＤＶＤ１の記録位置について後方（再生時間軸上において前）であることを示している。
【０１０４】
図６に示すように、一のナビパック４１内に記述されるＶＯＢユニットサーチ情報には、例えば、当該一のナビパック４１を図６に「＊」印で示すナビパック４１Ａとすると、当該ナビパック４１Ａから０．５秒×ｎ（ｎは自然数）秒後に再生すべきＶＯＢユニット３０、又は０．５秒×ｎ（ｎは自然数）秒前に既に再生したＶＯＢユニット３０のＤＶＤ１上の記録位置を示すアドレス情報が各時間毎に記述される。より具体的には、図６に示す場合には、ＦＷＤ１に対応するＶＯＢユニットサーチ情報は、ナビパック４１Ａを有するＶＯＢユニット＃０から０．５秒後に再生されるべきＶＯＢユニットが記述される。図６の場合には、ＶＯＢユニット＃０が再生時間０．６秒であるので、ＦＷＤ１に対応するＶＯＢユニットサーチ情報には、ＶＯＢユニット＃０自身のＤＶＤ１上の記録位置を示すアドレス情報が記述されている。
【０１０５】
また、ＦＷＤ２に対応するＶＯＢユニットサーチ情報は、ナビパック４１Ａを有するＶＯＢユニット＃０から１．０秒（０．５×２）後に再生されるべきＶＯＢユニットが記述される。図６の場合には、ＶＯＢユニット＃０が再生時間０．６秒であり、ＶＯＢユニット＃１も再生時間０．６秒であるので、ＦＷＤ２に対応するＶＯＢユニットサーチ情報には、ナビパック４１Ａから１秒後に再生すべきＶＯＢユニット３０、すなわち、ＶＯＢユニット＃１のＤＶＤ１上の記録位置を示すアドレス情報が記述されている。以下、同様にして、一のナビパック４１内のＶＯＢユニットサーチ情報には、当該一のナビパック４１を基点として前後２分の再生時間に対応するＶＯＢユニット３０のアドレス情報が記述される。上記の要領で記述されたＶＯＢユニットサーチ情報の例を図７に示す。なお、図７において、「ＦＷＤＡ」は前方のアドレスを示し、「ＢＷＤＡ」は後方のアドレスを示している。また、その後に続くアドレス番号は、（対応する再生時間×２）に相当する数となっている。
【０１０６】
ところで、ＤＶＤ１に記録される記録情報のうち、上述のアングルブロック再生又はパレンタルブロック再生のための記録情報（アングルブロック又はパレンタルブロック）は、図８に示すように、同一の再生時刻に対応する記録情報（図８において、男優の視点で見た映像Ａ（以下、映像Ａという。）、女優の視点で見た映像Ｂ（以下、映像Ｂという。）及び子役の視点で見た映像Ｃ（以下、映像Ｃという。））が夫々インターリーブドユニットＩＵに分割されてＤＶＤ１上に順番に記録されている。そして、これをＤＶＤ１上の再生時間と実際の記録位置を示すアドレスとの関係で示すと図９に示すようになる。なお、図９においては、説明の簡略化のため、一のインターリーブドユニットＩＵは夫々の一のＶＯＢユニット３０のみで構成されているとし、夫々のＶＯＢユニット３０を再生したときの再生時間は全て０．５秒であるとしている。また、上記の可変レート方式を用いたＭＰＥＧ２方式により、夫々のＶＯＢユニット３０のデータ量が異なるため、夫々にＶＯＢユニット３０に対応する開始アドレス間の間隔も異なっている。
【０１０７】
そして、図９に示す夫々のＶＯＢユニット３０アドレスを図７に示すＶＯＢユニットサーチ情報に適用すると、例えば、図１０に示すようになる。
【０１０８】
ここで、図１０に示すＶＯＢユニットサーチ情報に基づいて、例えば、映像Ａを再生中にスキャン動作等で２秒先のデータ（映像）を見る場合を考えると、図１０に示すＶＯＢユニットサーチ情報を用いたのでは、２秒後のデータは、アドレス（３７）に記録されているデータであり、それは図９より映像Ｂの一部になってしまう。つまり、インターリーブドユニットＩＵに分割されて記録されている記録情報においては、図１０に示すＶＯＢユニットサーチ情報では、ＤＶＤ１上の再生時間で夫々のＶＯＢユニット３０の開始アドレスが記述されているので、他の情報を併用しないと、夫々の部分記録情報（映像Ａ、映像Ｂ又は映像Ｃ）毎のスキャン動作、タイムサーチ動作等ができないのである。
【０１０９】
そこで、本発明では、連続して再生されるべきインターリーブドユニットＩＵのみのアドレスをＶＯＢユニットサーチ情報として記述するのである。
【０１１０】
すなわち、図１１に（＊）印で示すナビパック４１Ａ内のＤＳＩデータ５１に記述されるＶＯＢユニットサーチ情報としては、夫々映像Ａとして連続して再生されるべきインターリーブドユニットＩＵのアドレス（図１１の場合は、アドレス（３０）、（６２）及び（８６））を夫々の当該インターリーブドユニットＩＵの再生される時刻に対応させて記述するのである。同様にして、図１１に符号４１Ｂで示すナビパック４１内に記述されるＶＯＢユニットサーチ情報としては、映像Ｂとして連続して再生されるべきインターリーブドユニットＩＵのアドレス（３７）、（７３）及び（１００）を当該インターリーブドユニットＩＵの再生される時刻に対応させて記述し、また、図１１に符号４１Ｃで示すナビパック４１内に記述されるＶＯＢユニットサーチ情報としては、映像Ｃとして連続して再生されるべきインターリーブドユニットＩＵのアドレス（５０）及び（８０）を当該インターリーブドユニットＩＵの再生される時刻に対応させて記述する。以上のようにして夫々のインターリーブドユニットＩＵのアドレスを記述したＶＯＢユニットサーチ情報について、ナビパック４１Ａ内に記述されるＶＯＢユニットサーチ情報の具体例を図１２に示す。
【０１１１】
このように、連続して再生されるべきインターリーブドユニットＩＵのみのアドレスによりＶＯＢユニットサーチ情報を構成することにより、アングルブロックの再生中やアングルの切り換えを実行後においてもタイムサーチ動作や、早送り又はスキャン等の特殊再生が可能となるのである。
【０１１２】
なお、上述のＶＯＢユニットサーチ情報の構成は、アングルブロック再生用だけでなく、同じくインターリーブドユニットＩＵに情報が分割されて記録される上記パレンタルブロック再生に適用されるＶＯＢユニットサーチ情報においても同様の構成とされる。
【０１１３】
（II）記録装置の実施形態
次に、上述のＶＯＢユニットサーチ情報を含む制御情報、映像情報及び音声情報をＤＶＤ１に記録するための請求項１乃至３に記載の発明に対応する記録装置の実施形態について、図１３を用いて説明する。
【０１１４】
図１３に示すように、実施形態に係る記録装置Ｓ1 は、ＶＴＲ（Video Tape Recorder ）７０と、メモリ７１と、信号処理手段としての信号処理部７２と、ハードディスク装置７３及び７４と、多重手段としてのコントローラ７５と、多重手段としての多重器７５と、変調器７７と、記録手段としてのマスタリング装置７８とにより構成されている。
【０１１５】
次に、動作を説明する。
【０１１６】
ＶＴＲ７０には、ＤＶＤ１に記録すべき音声情報や映像情報等の素材である記録情報Ｒ（上記映像Ａ乃至Ｃに対応する映像情報が個別に含まれている。）が一時的に記録されている。そして、ＶＴＲ７０に一時的に記録された記録情報Ｒは、信号処理部７２からの要求により当該信号処理部３に出力される。
【０１１７】
信号処理部７２は、ＶＴＲ７０から出力された記録情報ＲをＡ／Ｄ変換した後、映像Ａ、Ｂ及びＣに対応する夫々の映像情報に分離し、当該分離された映像情報毎にＭＰＥＧ２方式の可変レート方式を用いて圧縮処理し、音声情報と当該映像情報とを時間軸多重すると共に、当該音声情報と映像情報に多重して記録すべき上記ナビパック４１を挿入すべき位置に当該ナビパック４１に対応するスペースを設け、圧縮多重信号Ｓr として出力する。その後、出力された圧縮多重信号Ｓr は、ハードディスク装置７３に一時的に記憶される。
【０１１８】
これらと並行して、メモリ７１は、上記記録情報Ｒの再生を制御するための制御情報（図１における、ビデオマネージャ２、コントロールデータ１１、ナビパック４１（ＰＣＩデータ５０及び上記ＶＯＢユニットサーチ情報を含むＤＳＩデータ５１）等）が記載されたキューシートＳＴに基づき予め入力された当該制御情報を一時的に記憶し、信号処理部７２からの要求に基づいて制御情報信号Ｓi として出力する。
【０１１９】
そして、信号処理部７２は、ＶＴＲ７０から出力される上記記録情報Ｒに対応したタイムコードＴt 及びメモリ７１から出力される制御情報信号Ｓi に基づき、タイムコードＴt を参照して制御情報から上述のＶＯＢユニットサーチ情報を含むＤＳＩデータ５１を分離し、対応するサーチ情報信号Ｓacとして出力し、当該サーチ情報信号Ｓacがハードディスク装置７４に一時的に記憶される。このとき、ＤＳＩデータ５１以外のメモリ７１に記憶されている制御情報については、図１３においては図示を省略しているが、ＤＳＩデータ５１と同様に信号処理部７２において夫々に分離され、ハードディスク装置７４に記憶される。
【０１２０】
以上の処理が記録情報Ｒ全体について実行される。
【０１２１】
記録情報Ｒの全てについて上記の処理が終了すると、コントローラ７５は、ハードディスク装置７３から圧縮多重信号Ｓr を読み出すとともにハードディスク装置７４からサーチ情報信号Ｓac及びその他の制御情報を読み出し、これらに基づいてＶＯＢユニットサーチ情報（図１２）を含むＤＳＩデータ５１及びその他の制御情報を夫々独立に含む付加情報を生成し、対応する付加情報信号Ｓa をハードディスク装置７４に一時的に再記録する。これは、各制御情報の中には、圧縮多重信号Ｓr の生成結果によってその内容が決まるものがあるからである。
【０１２２】
一方、コントローラ７５は、上記信号処理部７２、ハードディスク装置７３及び７４の夫々の動作の時間管理を行い、付加情報信号Ｓa をハードディスク装置７４から読み出して出力すると共に、圧縮多重信号Ｓr と付加情報信号Ｓa を時間軸多重するための情報選択信号Ｓccを生成して出力する。
【０１２３】
その後、圧縮多重信号Ｓr （映像Ａ、Ｂ及びＣに対応する映像情報を夫々個別に含んでいる。）と付加情報信号Ｓa は、コントローラ１００からの情報選択信号Ｓccに基づき、ハードディスク装置７３及び７４から読み出され、多重器７６により時間軸多重され、圧縮多重信号Ｓr における上記ナビパック４１用のスペース内に付加情報信号Ｓa に対応する付加情報内のＤＳＩデータ５１等の制御情報が記述されて情報付加圧縮多重信号Ｓapとして出力される。この情報付加圧縮多重信号Ｓapの段階では、記録すべき情報は、コントローラ７５の情報選択信号Ｓccを用いた切り換え動作によって制御情報と映像情報及び音声情報とが合成され、図１及び図１１に示す映像情報毎のインターリーブドユニットＩＵに分離された物理構造（物理フォーマット）となっている。そして、上記ＶＯＢユニットサーチ情報については、対応するＤＳＩデータ５１に含まれると共に、対応するナビパック４１に含まれていることとなる。
【０１２４】
なお、記録すべき情報の中に副映像情報が含まれている場合には、図示しない他のハードディスク装置から読み出されて信号処理部７２に入力され、映像情報及び音声情報と同様に信号処理され、情報付加圧縮多重信号Ｓapに含まれる。
【０１２５】
その後、変調器７７は、出力された情報付加圧縮多重信号Ｓapに対してリードソロモン符号等のエラー訂正コード（ＥＣＣ）の付加及び８−１６変調等の変調を施してディスク記録信号Ｓm を生成し、マスタリング装置７８に出力する。
【０１２６】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【０１２７】
以上の記録装置Ｓ1 の動作により、上記ＶＯＢユニットサーチ情報を含む記録情報ＲがＤＶＤ１に記録されることとなる。
【０１２８】
従って、当該記録された記録情報を再生する際に上記ＶＯＢユニットサーチ情報を用いれば、アングルブロック再生又はパレンタルブロック再生中においても再生すべき映像情報を迅速に検索して再生することができ、一時中断等をすることなく正確且つスムーズに映像情報を再生しつつスキャン動作やタイムサーチ動作等の特殊再生を行うことができる。
【０１２９】
（III ）再生装置の実施形態
次に、上記の記録装置Ｓ1 によりＤＶＤ１に記録された情報を再生するための再生装置の実施形態を、図１４乃至図１６を用いて説明する。
【０１３０】
始めに、図１４を用いて、実施形態の再生装置の構成及び動作について説明する。
【０１３１】
図１４に示すように、実施形態に係る再生装置Ｓ2 は、検出復調手段としてのピックアップ８０と、検出復調手段としての復調訂正部８１と、ストリームスイッチ８２及び８４と、トラックバッファ８３と、抽出手段としてのシステムバッファ８５と、デマルチプレクサ８６と、ＶＢＶ（Video Buffer Verifier ）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、制御手段としてのシステムコントローラ１００と、ドライブコントローラ１０１と、スピンドルモータ１０２と、スライダモータ１０３とにより構成されている。なお、図１４に示す構成は、再生装置Ｓ2 の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１３２】
次に、全体動作を説明する。
【０１３３】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１３４】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。
【０１３５】
復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１３６】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のインターリーブドユニットＩＵに分割されて記録されている記録情報Ｒに対応するシームレス再生におけるトラックジャンプに起因して不連続に入力される復調信号Ｓdmを連続的に出力し、当該不連続による再生の中断を解消するためのものである。
【０１３７】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。
【０１３８】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓc としてシステムコントローラ１００に出力すると共に、情報再生中に必要に応じて上記ナビパック４１毎のＤＳＩデータ５１を一時的に蓄積し、システムコントローラ１００に制御情報Ｓc として出力する。
【０１３９】
ストリームスイッチ８４を介して復調信号Ｓdmが連続的に入力されたデマルチプレクサ８６においては、当該復調信号Ｓdmからビデオデータ４２、オーディオデータ４３、サブピクチャデータ４４及びナビパック４１毎のＰＣＩデータ５０を分離し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、オーディオデータ４３又はサブピクチャデータ４４として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１４０】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ（図２参照）毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。
【０１４１】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれるサブピクチャデータ４４を、当該サブピクチャデータ４４に対応するビデオデータ４２と同期して出力するためのものである。そして、ビデオデータ４２との同期が取られた副映像信号Ｓspがサブピクチャデコーダ９０に入力され、復調が行われて復調副映像信号Ｓspd として混合器９１に出力される。
【０１４２】
なお、副映像信号Ｓspが、上記メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１４３】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき映像信号Ｓvpとして図示しないＣＲＴ（Cathod Ray Tube ）等の表示部に出力される。
【０１４４】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓadd として図示しないスピーカ等に出力される。なお、アクセス直後の再生等において、一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓadd の出力を停止する。
【０１４５】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。そして、ＰＣＩバッファ９４により対応するビデオデータ４２、オーディオデータ４３又はサブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpci としてシステムコントローラ１００に出力される。
【０１４６】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための画像情報が含まれている副映像信号Ｓspに対応して、ハイライト情報に対応する選択項目（選択ボタン）の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。ここで、システムコントローラ１００は、当該復調ハイライト信号Ｓhid に基づき、ハイライト情報による表示状態の変更を行うべく、上記のハイライト制御信号Ｓchを出力することとなる。
【０１４７】
システムコントローラ１００は、システムバッファ８５から入力される制御情報Ｓc 、ＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 、ストリーム選択信号Ｓlc、ポーズ信号Ｓca、ハイライト制御信号Ｓchを出力すると共に、再生装置Ｓ2 の動作状況等を表示するために表示信号Ｓdpを液晶表示装置等のディスプレイ９９に出力する。
【０１４８】
更に、システムコントローラ１００は、上記制御信号Ｓc 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【０１４９】
そして、シームレス制御信号Ｓcsl が入力されたドライブコントローラ１０１は、スピンドルモータ１０２又はスライダモータ１０３に対して駆動信号Ｓd を出力する。この駆動信号Ｓd により、スピンドルモータ１０２又はスライダモータ１０３は、光ビームＢが再生すべきＤＶＤ１上の記録位置に照射されるようにピックアップ２を移動させる（図１４破線矢印参照）と共に、ＤＶＤ１の回転をＣＬＶ（Constant Linearm Velocity ：線速度一定）制御する。これと並行して、ドライブコントローラ１０１は、ピックアップ２が移動中であり復調訂正部８１から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【０１５０】
次に、上記再生装置Ｓ2 の内、特に本発明に係るＶＯＢユニットサーチ情報を用いた検索動作について、システムコントローラ１００の動作を中心として以下に説明する。
【０１５１】
（Ａ）Ｊ倍速ビジュアルスキャン動作の実施形態
初めに、アングルブロック再生又はパレンタルブロック再生中におけるＶＯＢユニットサーチ情報を用いたＪ倍速ビジュアルスキャン動作（具体的には、１０倍速ビジュアルスキャン動作、３０倍速ビジュアルスキャン動作等であり、映像を出力しつつＪ倍速で再生する動作である。）について、図１５を用いて説明する。
【０１５２】
ここで、アングルブロック再生又はパレンタルブロック再生中におけるＪ倍速ビジュアルスキャン動作は、現在再生しているデータに対応するナビパック４１の位置から、連続して再生すべきＶＯＢユニット３０であって、通常再生における（Ｊ／３０）秒おきのＶＯＢユニット３０に含まれるＪ／３０秒に対応する１フレーム毎の画像のみを連続的に再生するものであり、上述のＭＰＥＧ２方式においては１秒間に再生されるフレーム映像数が３０フレームと規定されていることから、Ｊフレームのうちの一つのフレームを再生するためＪ倍速スキャン動作となるのである。
【０１５３】
次に、Ｊ倍速ビジュアルスキャン動作を行うための具体的な処理について、図１５に示すフローチャートに基づいて説明する。なお、説明の簡略化のために、図１５に示すフローチャートは、全てのＶＯＢユニット３０にビデオデータ４２が含まれていることを前提としている。
【０１５４】
図１５に示すように、Ｊ倍速ビジュアルスキャン動作においては、初めに、通常再生が行われているときに（ステップＳ１）、Ｊ倍速ビジュアルスキャン動作の指示する入力信号Ｓinが入力部９８から入力されたか否かが判定される（ステップＳ２）。
【０１５５】
ステップＳ２における判定において、Ｊ倍速ビジュアルスキャン動作の指示する入力信号Ｓinが入力されていない場合には（ステップＳ２；ＮＯ）、次に、入力部９８から再生ストップの指示あるか否かが判定される（ステップＳ３）。そして、再生ストップの指示があるときには（ステップＳ３；ＹＥＳ）そのまま処理を終了し、再生ストップの指示がないときには（ステップＳ３；ＮＯ）、次に再生するＶＯＢユニット３０の開始アドレスＡＤX を設定し（ステップＳ４）、当該アドレスＡＤX をサーチするためにピックアップ８０を移動させ（ステップＳ５）、上記次に再生するＶＯＢユニット３０のナビパック４１を取得して（ステップＳ６）通常再生処理（ステップＳ１）に移行する。
【０１５６】
一方、ステップＳ２における判定において、Ｊ倍速ビジュアルスキャン動作を指示する入力信号Ｓinが入力された場合には（ステップＳ２；ＹＥＳ）、次に、（Ｊ／３０）秒後のＶＯＢユニット３０を検索するために、ＶＯＢユニットサーチ情報におけるアドレス番号（図１２参照。夫々の再生すべき時間×２の値を有する。）を示すパラメータｎを「Ｊ／３０×２」と設定する（ステップＳ７）。その後、ＶＯＢユニットサーチ情報を参照して（Ｊ／３０）秒後に再生するＶＯＢユニット３０の開始アドレスを示す「ＦＷＤＡｎ」を設定し（ステップＳ８）、当該（Ｊ／３０）秒後に再生するＶＯＢユニット３０に含まれているナビパック４１を検出する（ステップＳ１０）。
【０１５７】
そして、当該取得したナビパック４１に対応するＶＯＢユニット３０のＪ／３０秒毎の一フレームのみを再生し（ステップＳ１１）、スキャン動作が終了か否かを判定して（ステップＳ１２）、終了でないときには（ステップＳ１２；ＮＯ）上記ステップＳ８以降の動作を繰返すべくステップＳ８に戻り、終了するときには（ステップＳ１２；ＹＥＳ）通常再生処理に戻る（ステップＳ１）。
【０１５８】
以上説明した処理により、ＶＯＢユニットサーチ情報を活用し、アングルブロック再生又はパレンタルブロック再生中においてＪ／３０秒毎に一フレーム映像だけ再生するＪ倍速ビジュアルスキャン動作が実行できる。
【０１５９】
（Ｂ）タイムサーチ動作の実施形態
次に、アングルブロック再生又はパレンタルブロック再生中におけるＶＯＢユニットサーチ情報を用いたタイムサーチ動作について、図１６を用いて説明する。
【０１６０】
ここで、アングルブロック再生又はパレンタルブロック再生中におけるタイムサーチ動作は、再生中の位置から指定された時刻（例えば、Ｔ秒後）の映像及び音声までスキップし、当該映像及び音声を出力する動作である。
【０１６１】
次に、ＶＯＢユニットサーチ情報を用いてＴ秒後の映像及び音声を検索するためのタイムサーチ動作を行うための具体的な処理について、図１６に示すフローチャートに基づいて説明する。なお、説明の簡略化のために、図１６に示すフローチャートは、全てのＶＯＢユニット３０にビデオデータ４２が含まれていることを前提としている。
【０１６２】
図１６に示すように、タイムサーチ動作においては、初めに、通常再生が行われているときに（ステップＳ２０）、Ｔ秒後の映像及び音声を再生すべくタイムサーチ動作を指示する入力信号Ｓinが入力部９８から入力されたか否かが判定される（ステップＳ２１）。
【０１６３】
ステップＳ２１における判定において、Ｔ秒後のタイムサーチ動作の指示する入力信号Ｓinが入力されていない場合には（ステップＳ２１；ＮＯ）、次に、入力部９８から再生ストップの指示あるか否かが判定される（ステップＳ２２）。そして、再生ストップの指示があるときには（ステップＳ２２；ＹＥＳ）そのまま処理を終了し、再生ストップの指示がないときには（ステップＳ２２；ＮＯ）、次に再生するＶＯＢユニット３０の開始アドレスＡＤX を設定し（ステップＳ２３）、当該アドレスＡＤX をサーチするためにピックアップ８０を移動させ（ステップＳ２４）、上記次に再生するＶＯＢユニット３０のナビパック４１を取得して（ステップＳ２５）通常再生処理に移行する（ステップＳ２０）。
【０１６４】
一方、ステップＳ２１における処理において、Ｔ秒後のタイムサーチ動作の指示する入力信号Ｓinが入力された場合には（ステップＳ２１；ＹＥＳ）、次に、「Ｔ×２」の値（上記アドレス番号（図１２参照）に対応する。）が１５以下か否かが判定される（ステップＳ２６）。
【０１６５】
ステップＳ２６における判定において、「Ｔ×２」の値が１５以下であるときには（ステップＳ２６；ＹＥＳ）次に、アドレス番号を示すパラメータｎをＴ×２に設定する（ステップＳ２７）。
【０１６６】
そして、ＶＯＢユニットサーチ情報（図１２参照）からＴ秒後に再生すべきＶＯＢユニット３０の開始アドレス（ＶＯＢユニットサーチ情報において、「ＦＷＤＡｎ」に対応するアドレスとして記述されている。）を「ＦＷＤＡｙ」として設定し、
「ＦＷＤＡｎ」に対応するアドレス＝「ＦＷＤＡｙ」に対応するアドレス
とする（ステップＳ２８）。
【０１６７】
その後、「ＦＷＤＡｙ」に対応するアドレスの位置に記録されているＶＯＢユニット３０を検索するためにピックアップ８０を移動させ（ステップＳ２９）、当該ＶＯＢユニット３０のナビパック４１を取得し（ステップＳ３０）、当該ＶＯＢユニット３０から再生を開始してＴ秒後に再生すべき映像を出画し（ステップＳ３１）、その後、通常再生処理に戻る（ステップＳ２０）。
【０１６８】
一方、ステップＳ２６における判定において、「Ｔ×２」の値が１５以下でないときは（ステップＳ２６；ＮＯ）、７．５秒毎（ＶＯＢユニットサーチ情報（図１２）における「ＦＷＤＡ１５」に相当する。）のＶＯＢユニット３０を検索する回数を示すパラメータｍを「１」に設定し（ステップＳ３２）、ＶＯＢユニットサーチ情報における「ＦＷＤＡ１５」に対応するＶＯＢユニット３０を検索するためにピックアップ８０を移動し（ステップＳ３３）、当該ＶＯＢユニット３０のナビパック４１を取得する（ステップＳ３４）。
【０１６９】
次に、「Ｔ×２」の値（アドレス番号）について、その値が「１５×ｍ」より大きく、「１５×（ｍ＋１）」以下であるか否かが判定され（ステップＳ３５）、ステップＳ３５における判定において、「Ｔ×２」の値が「１５×ｍ」より大きく、「１５×（ｍ＋１）」以下でない場合には（ステップＳ３５；ＮＯ）、パラメータｍの値を「１」だけインクリメントして（ステップＳ３６）ステップＳ３３の処理に戻る。
【０１７０】
一方、ステップＳ３５における判定において、「Ｔ×２」の値が「１５×ｍ」より大きく、「１５×（ｍ＋１）」以下である場合には（ステップＳ３５；ＹＥＳ）、パラメータｎを
ｎ＝Ｔ×２−１５×ｍ
として（ステップＳ３７）、そのときのパラメータｎの値が「０」か否かを判定する（ステップＳ３８）。そして、「０」であるときには（ステップＳ３８；ＹＥＳ）、ステップＳ３４で取得したナビパック４１を含むＶＯＢユニット３０内に所望のビデオデータ４２が記録されていることとなるので、ステップＳ３１に移行して再生及び出画を開始し、パラメータｎの値が「０」でないときには（ステップＳ３８；ＮＯ）、ステップＳ３４で取得したナビパック４１内のＶＯＢユニットサーチ情報から当該更新（ステップＳ３４）されたナビパック４１が含まれるＶＯＢユニット３０の開始アドレスを「ＦＷＤＡｙ」として設定し、
「ＦＷＤＡｎ」に対応するアドレス＝「ＦＷＤＡｙ」に対応するアドレス
とする（ステップＳ３９）。
【０１７１】
その後、上述のステップＳ２９乃至Ｓ３１の処理を行って通常再生処理に戻る（ステップＳ２０）。
【０１７２】
以上説明した図１６に示す動作により、ＶＯＢユニットサーチ情報を用いたタイムサーチ動作が実行される。
【０１７３】
以上説明したように、再生装置Ｓ2 によれば、上述のＶＯＢユニットサーチ情報を用いてスキャン動作又はタイムサーチ動作等を行うことにより、アングルブロック再生又はパレンタルブロック再生中においても再生すべき映像情報を迅速に検索して再生することができ、一時中断等をすることなく正確且つスムーズに映像情報を再生しつつアングルブロック又はパレンタルブロックの再生を行うことができる。
【図面の簡単な説明】
【０１７４】
【図１】記録情報の物理的構造（物理フォーマット）を示す図である。
【図２】ＧＯＰを構成するフレーム映像を示す図である。
【図３】記録情報の論理的構造（論理フォーマット）を示す図である。
【図４】インターリーブドユニットの構造を示す図である。
【図５】ＤＳＩデータに含まれる情報を説明する図である。
【図６】ＶＯＢユニットサーチ情報を説明する図である。
【図７】ＶＯＢユニットサーチ情報の構成を示す図である。
【図８】アングルブロック再生用の映像とインターリーブドユニットの関係を示す図である。
【図９】インターリーブドユニットに分割された記録情報と再生時間の関係を示す図である。
【図１０】ＶＯＢユニットサーチ情報の一例を示す図である。
【図１１】実施形態のインターリーブドユニットに分割された記録情報と再生時間の関係を示す図である。
【図１２】実施形態のＶＯＢユニットサーチ情報の具体例を示す図である。
【図１３】記録装置の概要構成を示すブロック図である。
【図１４】再生装置の概要構成を示すブロック図である。
【図１５】Ｊ倍速ビジュアルスキャン動作を示すフローチャートである。
【図１６】タイムサーチ動作を示すフローチャートである。
【符号の説明】
【０１７５】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオデータ
４３…オーディオデータ
４４…サブピクチャデータ
５０…ＰＣＩデータ
５１…ＤＳＩデータ
５２…ＧＯＰ
６０…プログラム
６１、６１Ａ、６１Ｂ…ＰＧＣ
６２…タイトル
７０…ＶＴＲ
７１…メモリ
７２…信号処理部
７３、７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
Ｂ…光ビーム
Ｓ1 …記録装置
Ｓ2 …再生装置
Ｐ…パック
ＰＴ…パケット
ＤＫ…光ディスク
ＳＴ…キューシート
Ｓr …圧縮多重信号
Ｓi …制御情報信号
Ｓac…サーチ情報信号
Ｓa …付加情報信号
Ｓcc…情報選択信号
Ｓm …ディスク記録信号
Ｓap…情報付加圧縮多重信号
Ｓp …検出信号
Ｓdm…復調信号
Ｓsw1 、Ｓsw2 …スイッチ信号
Ｓin…入力信号
Ｓdp…表示信号
Ｓd …駆動信号
Ｓcsl …シームレス制御信号
Ｓc …制御信号
Ｓlc…ストリーム選択信号
Ｓca…ポーズ信号
Ｓch…ハイライト制御信号
Ｓhi…ハイライト信号
Ｓpci …ＰＣＩ情報信号
Ｓpc…ＰＣＩ信号
Ｓad…オーディオ信号
Ｓsp…副映像信号
Ｓv …ビデオ信号
Ｓvd…復調ビデオ信号
Ｓspd …復調副映像信号
Ｓadd …復調オーディオ信号
Ｓvp…映像信号
Ｓhid …復調ハイライト信号
Ｔt …タイムコード
Ｒ…記録情報
【図１】
2005346911.tif 000003
【図２】
2005346911.tif 000004
【図３】
2005346911.tif 000005
【図４】
2005346911.tif 000006
【図５】
2005346911.tif 000007
【図６】
2005346911.tif 000008
【図７】
2005346911.tif 000009
【図８】
2005346911.tif 000010
【図９】
2005346911.tif 000011
【図１０】
2005346911.tif 000012
【図１１】
2005346911.tif 000013
【図１２】
2005346911.tif 000014
【図１３】
2005346911.tif 000015
【図１４】
2005346911.tif 000016
【図１５】
2005346911.tif 000017
【図１６】
2005346911.tif 000018
【手続補正書】
【提出日】平成17年7月19日(2005.7.19)
【手続補正１】
【補正対象書類名】特許請求の範囲
【補正対象項目名】全文
【補正方法】変更
【補正の内容】
【特許請求の範囲】
【請求項１】
同一の対象を異なる視点から見た複数の映像情報をインターリーブして形成されたアングルブロックが再生単位毎に記録される記録領域を有する情報記録媒体において、
前記記録領域には、
前記複数の映像情報中の１の映像情報と、
前記１の映像情報として連続して再生されるべき再生単位のみの情報記録媒体上の記録位置が、再生される時刻に対応させて記述されている記録位置情報と、
が前記再生単位毎に記録されていることを特徴とする情報記録媒体。
【請求項２】
請求項１に記載の情報記録媒体において、
前記記録位置情報は、前記１の映像情報の再生時間軸上において、所定時間経過後及び所定時間経過前に再生すべき再生単位の前記情報記録媒体上の記録位置を示すことを特徴とする情報記録媒体。
【請求項３】
請求項１又は２に記載の情報記録媒体において、
１のインターリーブドユニットが１又は複数の前記再生単位によって構成されるとともに、前記アングルブロックが複数の前記インターリーブドユニットによって構成されることを特徴とする情報記録媒体。
【請求項４】
請求項３に記載の情報記録媒体において、
前記１のインターリーブドユニットが、前記複数の映像情報中の１の映像情報のみを含むことを特徴とする情報記録媒体。
【請求項５】
請求項１ないし４のいずれか１に記載の情報記録媒体において、
前記再生単位はナビゲーションパックが先頭に配置され、ビデオパック、オーディオパック又はサブピクチャパックが含まれており、前記記録位置情報は前記ナビゲーションパックに記録されていることを特徴とする情報記録媒体。
【請求項６】
複数の映像情報をインターリーブして形成されたブロックが再生単位毎に記録される記録領域を有する情報記録媒体において、
前記記録領域には、
前記複数の映像情報中の１の映像情報と、
前記１の映像情報として連続して再生されるべき再生単位の情報記録媒体上の記録位置が、再生される時刻に対応させて記述されている記録位置情報と、
が前記再生単位毎に多重化されて記録されているとともに、
１のインターリーブドユニットが１又は複数の前記再生単位によって構成されるとともに、前記ブロックが複数の前記インターリーブドユニットによって構成されることを特徴とする情報記録媒体。
【請求項７】
複数の映像情報をインターリーブして形成されたブロックが再生単位毎に記録される記録領域を有する情報記録媒体において、
前記記録領域には、前記１の映像情報が、連続して再生可能な所定の間隔であって、当該一の映像情報と異なる他の映像情報が記録される当該所定の間隔を有して前記再生単位毎に記録されているとともに、前記１の映像情報として連続して再生されるべき再生単位の情報記録媒体上の記録位置が、再生される時刻に対応させて記述されている記録位置情報が前記再生単位毎に記録され、
１のインターリーブドユニットが１又は複数の前記再生単位によって構成されるとともに、前記ブロックが複数の前記インターリーブドユニットによって構成されることを特徴とする情報記録媒体。
【請求項８】
請求項６又は７に記載の情報記録媒体において、
前記記録位置情報が、前記１の映像情報の再生時間軸上にて、所定時間経過後及び所定時間経過前に再生すべき再生単位の前記情報記録媒体上の記録位置を示すことを特徴とする情報記録媒体。
【請求項９】
請求項６ないし８のいずれか１に記載の情報記録媒体において、
前記記録位置情報が、前記複数の映像情報中の１の映像情報として連続して再生されるべき再生単位のみの記録位置を、再生される時刻に対応させて記述されていることを特徴とする情報記録媒体。
【請求項１０】
請求項６ないし８のいずれか１に記載の情報記録媒体において、
前記１のインターリーブドユニットは、前記複数の映像情報中の１の映像情報のみを含むことを特徴とする情報記録媒体。
【請求項１１】
請求項６ないし９のいずれか１に記載の情報記録媒体において、
前記再生単位は、ナビゲーションパックが先頭に配置され、ビデオパック、オーディオパック又はサブピクチャパックが含まれており、前記記録位置情報は前記ナビゲーションパックに記録されていることを特徴とする情報記録媒体。
【請求項１２】
請求項６ないし１１のいずれか１に記載の情報記録媒体において、
前記ブロックが、アングルブロックであることを特徴とする情報記録媒体。
【請求項１３】
請求項６ないし１１のいずれか１に記載の情報記録媒体において、
前記ブロックが、パレンタルブロックであることを特徴とする情報記録媒体。
【請求項１４】
請求項６ないし１２のいずれか１に記載の情報記録媒体において、
前記複数の映像情報が、同一の対象を異なる視点から見た複数の映像情報であることを特徴とする情報記録媒体。
【請求項１５】
請求項６ないし１１又は１４のいずれか１に記載の情報記録媒体において、
前記複数の映像情報は、夫々異なる設定がなされた再生装置で再生されるべき映像情報であることを特徴とする情報記録媒体。
【手続補正３】
【補正対象書類名】明細書
【補正対象項目名】００１３
【補正方法】変更
【補正の内容】
【００１３】
上記の課題を解決するために、請求項１に記載の発明は、同一の対象を異なる視点から見た複数の映像情報をインターリーブして形成されたアングルブロックが再生単位毎に記録される記録領域を有する情報記録媒体において、前記記録領域には、前記複数の映像情報中の１の映像情報と、前記１の映像情報として連続して再生されるべき再生単位のみの情報記録媒体上の記録位置が、再生される時刻に対応させて記述されている記録位置情報と、が前記再生単位毎に記録されている構成を有している。
【手続補正４】
【補正対象書類名】明細書
【補正対象項目名】００１４
【補正方法】変更
【補正の内容】
【００１４】
上記の課題を解決するために、請求項６に記載の発明は、複数の映像情報をインターリーブして形成されたブロックが再生単位毎に記録される記録領域を有する情報記録媒体において、前記記録領域には、前記複数の映像情報中の１の映像情報と、前記１の映像情報として連続して再生されるべき再生単位の情報記録媒体上の記録位置が、再生される時刻に対応させて記述されている記録位置情報と、が前記再生単位毎に多重化されて記録されているとともに、１のインターリーブドユニットが１又は複数の前記再生単位によって構成されるとともに、前記ブロックが複数の前記インターリーブドユニットによって構成される。
【手続補正５】
【補正対象書類名】明細書
【補正対象項目名】００１５
【補正方法】変更
【補正の内容】
【００１５】
上記の課題を解決するために、請求項７に記載の発明は、複数の映像情報をインターリーブして形成されたブロックが再生単位毎に記録される記録領域を有する情報記録媒体において、前記記録領域には、前記１の映像情報が、連続して再生可能な所定の間隔であって、当該一の映像情報と異なる他の映像情報が記録される当該所定の間隔を有して前記再生単位毎に記録されているとともに、前記１の映像情報として連続して再生されるべき再生単位の情報記録媒体上の記録位置が、再生される時刻に対応させて記述されている記録位置情報が前記再生単位毎に記録され、１のインターリーブドユニットが１又は複数の前記再生単位によって構成されるとともに、前記ブロックが複数の前記インターリーブドユニットによって構成される。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】